【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】  多価アルコールと多塩基酸とを反応させて得られ、該多塩基酸成分中の６０モル％以上が脂環式多塩基酸であり、かつ水酸基を含有するポリエステル樹脂（Ａ）、硬化剤（Ｂ）、及びレオロジーコントロール剤（Ｃ）を含有することを特徴とする、着色塗料用樹脂組成物。
【請求項２】  ポリエステル樹脂（Ａ）が、重量平均分子量８００〜３００００、固形分水酸基価５０〜２００ｍｇＫＯＨ／ｇ、固形分酸価５〜２０ｍｇＫＯＨ／ｇのポリエステル樹脂である、請求項１に記載の着色塗料用樹脂組成物。
【請求項３】  ポリエステル樹脂（Ａ）が、重量平均分子量１０００〜２００００、固形分水酸基価８０〜１５０ｍｇＫＯＨ／ｇ、固形分酸価５〜２０ｍｇＫＯＨ／ｇのポリエステル樹脂である、請求項１に記載の着色塗料用樹脂組成物。
【請求項４】  硬化剤（Ｂ）が、アミノ樹脂及び／又はブロックイソシアネート樹脂である、請求項１〜３のいずれか１項に記載の着色塗料用樹脂組成物。
【請求項５】  ポリエステル樹脂（Ａ）と硬化剤（Ｂ）の樹脂固形分重量比（Ａ／Ｂ）が、５０／５０〜９０／１０である、請求項１〜４のいずれか１項に記載の着色塗料用樹脂組成物。
【請求項６】  レオロジーコントロール剤（Ｃ）の含有量が樹脂固形分重量（Ａ＋Ｂ）に対して、０．０１〜１００重量％である、請求項１〜５のいずれか１項に記載の着色塗料用樹脂組成物。
【請求項７】  ポリエステル樹脂（Ａ）が水溶性あるいは水分散体である請求項１〜６のいずれか１項に記載の着色塗料用樹脂組成物。
【請求項８】  基材上に請求項１〜７のいずれか１項に記載の着色塗料用樹脂組成物からなるベース塗料を塗布して塗膜を形成せしめた後、このベース塗膜上に、トップクリヤー塗料を塗布して硬化塗膜を形成せしめることを特徴とする積層塗装仕上げ方法。
【手続補正２】
【補正対象書類名】明細書
【補正対象項目名】００１６
【補正方法】変更
【補正の内容】
【００１６】
【課題を解決するための手段】本発明者らは上述したような課題に照準をあわせて、着色塗料用樹脂組成物の高固形分化について鋭意検討をおこなった。その結果、水酸基を有し、かつ、多塩基酸成分中に６０モル％を越える脂環式多塩基酸を含有するポリエステル樹脂（Ａ）と、硬化剤（Ｂ）と、レオロジーコントロール剤（Ｃ）とを含有する着色塗料用樹脂組成物が、高固形分化が可能で、それを用いて形成されるベース塗料の塗膜性能においてチッピングないしはピーリングなどの性能に優れ、さらにメタル配向にも優れること、ポリエステル樹脂（Ａ）としては、重量平均分子量８００〜３００００、固形分水酸基価５０〜２００ｍｇＫＯＨ／ｇ、固形分酸価５〜２０ｍｇＫＯＨ／ｇのポリエステル樹脂がより好ましく、なかでも重量平均分子量１０００〜２００００、固形分水酸基価８０〜１５０ｍｇＫＯＨ／ｇ、固形分酸価５〜２０ｍｇＫＯＨ／ｇのポリエステル樹脂が特に好ましいこと、硬化剤（Ｂ）としては、アミノ樹脂および／またはブロックイソシアネート樹脂がより好ましいこと、ポリエステル樹脂（Ａ）と硬化剤（Ｂ）の樹脂固形分重量比（Ａ／Ｂ）としては５０／５０〜９０／１０がより好ましいこと等を見い出し、本発明を完成するに至った。
【手続補正３】
【補正対象書類名】明細書
【補正対象項目名】００１７
【補正方法】変更
【補正の内容】
【００１７】
すなわち本発明は、
【手続補正４】
【補正対象書類名】明細書
【補正対象項目名】００１８
【補正方法】変更
【補正の内容】
【００１８】
１．  多価アルコールと多塩基酸とを反応させて得られ、該多塩基酸成分中の６０モル％以上が脂環式多塩基酸であり、かつ水酸基を含有するポリエステル樹脂（Ａ）、硬化剤（Ｂ）、及びレオロジーコントロール剤（Ｃ）を含有することを特徴とする、着色塗料用樹脂組成物、
【手続補正５】
【補正対象書類名】明細書
【補正対象項目名】００１９
【補正方法】変更
【補正の内容】
【００１９】
２．  ポリエステル樹脂（Ａ）が、重量平均分子量８００〜３００００、固形分水酸基価５０〜２００ｍｇＫＯＨ／ｇ、固形分酸価５〜２０ｍｇＫＯＨ／ｇのポリエステル樹脂である、上記１に記載の着色塗料用樹脂組成物、
【手続補正６】
【補正対象書類名】明細書
【補正対象項目名】００２０
【補正方法】変更
【補正の内容】
【００２０】
３．  ポリエステル樹脂（Ａ）が、重量平均分子量１０００〜２００００、固形分水酸基価８０〜１５０ｍｇＫＯＨ／ｇ、固形分酸価５〜２０ｍｇＫＯＨ／ｇのポリエステル樹脂である、上記１に記載の着色塗料用樹脂組成物、
【手続補正７】
【補正対象書類名】明細書
【補正対象項目名】００２１
【補正方法】変更
【補正の内容】
【００２１】
４．  硬化剤（Ｂ）が、アミノ樹脂及び／又はブロックイソシアネート樹脂である、上記１〜３のいずれか１つに記載の着色塗料用樹脂組成物、
【手続補正８】
【補正対象書類名】明細書
【補正対象項目名】００２２
【補正方法】変更
【補正の内容】
【００２２】
５．  ポリエステル樹脂（Ａ）と硬化剤（Ｂ）の樹脂固形分重量比（Ａ／Ｂ）が、５０／５０〜９０／１０である、上記１〜４のいずれか１つに記載の着色塗料用樹脂組成物、
【手続補正９】
【補正対象書類名】明細書
【補正対象項目名】００２３
【補正方法】変更
【補正の内容】
【００２３】
６．  レオロジーコントロール剤（Ｃ）の含有量が樹脂固形分重量（Ａ＋Ｂ）に対して、０．０１〜１００重量％である、上記１〜５のいずれか１つに記載の着色塗料用樹脂組成物、
【手続補正１０】
【補正対象書類名】明細書
【補正対象項目名】００２４
【補正方法】変更
【補正の内容】
【００２４】
７．  ポリエステル樹脂（Ａ）が水溶性あるいは水分散体である上記１〜６のいずれか１つに記載の着色塗料用樹脂組成物、
【手続補正１１】
【補正対象書類名】明細書
【補正対象項目名】００２５
【補正方法】変更
【補正の内容】
【００２５】
８．  基材上に上記１〜７のいずれか１つに記載の着色塗料用樹脂組成物からなるベース塗料を塗布して塗膜を形成せしめた後、このベース塗膜上に、トップクリヤー塗料を塗布して硬化塗膜を形成せしめることを特徴とする積層塗装仕上げ方法、を提供しようとするものである。
【手続補正１２】
【補正対象書類名】明細書
【補正対象項目名】００２６
【補正方法】変更
【補正の内容】
【００２６】
【発明の実施の形態】以下に本発明の具体的構成およびその作用効果について説明する。本発明の着色塗料用樹脂組成物は、水酸基を有し、かつ、多塩基酸成分中に６０モル％を越える脂環式多塩基酸を含有するポリエステル樹脂（Ａ）と、硬化剤（Ｂ）と、レオロジーコントロール剤（Ｃ）とを含有してなる。
【手続補正１３】
【補正対象書類名】明細書
【補正対象項目名】０１２９
【補正方法】変更
【補正の内容】
【０１２９】
実施例５〜１０、１２〜１６、及び１８
ベース塗料の調製
【手続補正１４】
【補正対象書類名】明細書
【補正対象項目名】０１３２
【補正方法】削除
【補正の内容】
【手続補正１５】
【補正対象書類名】明細書
【補正対象項目名】０１３４
【補正方法】変更
【補正の内容】
【０１３４】
【表５】
2002121472.tif 000001
【手続補正１６】
【補正対象書類名】明細書
【補正対象項目名】０１４３
【補正方法】変更
【補正の内容】
【０１４３】
実施例１８  （水性ベースコート用塗料の調製）
第４表に示す配合組成割合に従って配合せしめて、水性ベースコート用塗料を得た。
【手続補正１７】
【補正対象書類名】明細書
【補正対象項目名】０１４４
【補正方法】変更
【補正の内容】
【０１４４】
【表９】
2002121472.tif 000002
【手続補正１８】
【補正対象書類名】明細書
【補正対象項目名】０１５１
【補正方法】変更
【補正の内容】
【０１５１】
燐酸化成処理を行った軟鋼板上に、自動車用電着プライマーおよび中塗りサーフェサーを塗布して得られた塗板に、実施例５〜１０、１２〜１６、１８および比較例１〜８におけるベース塗料を、エアスプレーにより、乾燥塗膜が１７ミクロン（μｍ）となるように塗装せしめたのち、３分間のあいだセッテングせしめた。次いで、前記したトップクリヤー塗料を、乾燥塗膜が３０μｍとなるように塗装せしめた。
【手続補正１９】
【補正対象書類名】明細書
【補正対象項目名】０１５４
【補正方法】変更
【補正の内容】
【０１５４】
かくして得られた、それぞれの塗膜について、諸性能の比較検討を行った。それらの結果は、まとめて第５表（２）〜（７）に示す。
【手続補正２０】
【補正対象書類名】明細書
【補正対象項目名】０１６０
【補正方法】削除
【補正の内容】
【手続補正２１】
【補正対象書類名】明細書
【補正対象項目名】０１６２
【補正方法】変更
【補正の内容】
【０１６２】
【表１２】
2002121472.tif 000003
【手続補正２２】
【補正対象書類名】明細書
【補正対象項目名】０１６４
【補正方法】変更
【補正の内容】
【０１６４】
【表１４】
2002121472.tif 000004
【手続補正２３】
【補正対象書類名】明細書
【補正対象項目名】０１６７
【補正方法】変更
【補正の内容】
【０１６７】
以上のように、本発明に係る着色塗料用樹脂組成物及び積層塗装仕上げ方法は、とりわけ、塗装時不揮発分も高く、しかも、とりわけ、メタル配向にも、かつまた、耐チッピング性にも優れるという、極めて実用性の高いものであることが、無理なく、知り得よう。
【手続補正２４】
【補正対象書類名】明細書
【補正対象項目名】０１６８
【補正方法】変更
【補正の内容】
【０１６８】
【発明の効果】本発明の着色塗料用樹脂組成物及び積層塗装仕上げ方法は、高固形分を有し、光沢、硬化性、耐チッピング性等の諸性能に優れた塗膜を形成するものである。